(57)【要約】【課題】複数の原稿から読み取られる複数の画像データの各々の出力先を簡単に指定することが可能な画像処理装置及び画像処理方法を提供すること。【解決手段】検出処理部９２は、読取処理部９１により読み取られる原稿Ｄの画像データから予め定められた仕分画像を検出する。設定処理部９３は、処理対象の一連の原稿Ｄのうちの一又は複数の原稿Ｄの画像データが読取処理部９１により読み取られた時点で、当該一又は複数の原稿Ｄの画像データに含まれる前記仕分画像の種類ごとにユーザー操作に応じて出力先を設定する。出力処理部９４は、前記一連の原稿Ｄの各々の画像データに含まれる前記仕分画像の種類と設定処理部９３により設定された前記仕分画像の種類ごとの出力先とに基づいて、前記一連の原稿Ｄの各々の画像データの出力制御を行う。【選択図】図２
2019068128.tif 000002
【特許請求の範囲】
【請求項１】
原稿から画像データを読み取る読取処理部と、
前記読取処理部により読み取られる原稿の画像データから予め定められた仕分画像を検出する検出処理部と、
処理対象の一連の原稿のうちの一又は複数の原稿の画像データが前記読取処理部により読み取られた時点で、当該一又は複数の原稿の画像データに含まれる前記仕分画像の種類ごとにユーザー操作に応じて出力先を設定する設定処理部と、
前記一連の原稿の各々の画像データに含まれる前記仕分画像の種類と前記設定処理部により設定された前記仕分画像の種類ごとの出力先とに基づいて、前記一連の原稿の各々の画像データの出力制御を行う出力処理部と、
を備える画像処理装置。
【請求項２】
前記設定処理部は、前記一連の原稿のうちの残りの原稿の画像データから前記出力先が未設定である新たな種類の前記仕分画像が検出されたことに応じて、当該新たな種類の仕分画像に対応する出力先をユーザー操作に応じて設定する、
請求項１に記載の画像処理装置。
【請求項３】
前記出力処理部は、前記新たな種類の仕分画像が検出されてから当該新たな種類の仕分画像に対応する出力先が設定されるまでの間、前記新たな種類の仕分画像を含む前記画像データの出力制御に先行して、前記新たな種類の仕分画像を含まない前記画像データの出力制御を行う、
請求項２に記載の画像処理装置。
【請求項４】
前記設定処理部は、１種類の前記仕分画像に対して複数の出力先を設定可能であり、
前記出力処理部は、特定の種類の前記仕分画像に対して複数の出力先が設定されている場合に、前記特定の種類の仕分画像を含む前記画像データ又は当該画像データに基づいて画像が形成されたシートを、前記複数の出力先の各々へと出力させる、
請求項１〜３のいずれかに記載の画像処理装置。
【請求項５】
前記設定処理部は、前記仕分画像の各種類に対応する複数の列又は行と、各前記出力先に対応する複数の行又は列とで構成されるテーブルを含む前記出力先設定画面を表示部に表示させ、前記出力先設定画面に対するユーザー操作に応じて前記仕分画像の種類ごとに出力先を設定する、
請求項４に記載の画像処理装置。
【請求項６】
前記設定処理部は、前記仕分画像の色ごとに前記出力先を設定する、
請求項１〜５のいずれかに記載の画像処理装置。
【請求項７】
前記設定処理部は、前記出力先設定画面において、前記仕分画像の各種類を示すラベルとして、前記検出処理部により検出された前記仕分画像を表示する、
請求項６に記載の画像処理装置。
【請求項８】
前記出力処理部は、前記画像データに複数種類の前記仕分画像が含まれている場合に、前記複数種類の前記仕分画像の各々に対応する全ての出力先に対して前記画像データの出力制御を行う、
請求項１〜７のいずれかに記載の画像処理装置。
【請求項９】
前記出力処理部は、前記画像データに複数種類の前記仕分画像が含まれている場合に、前記複数種類の前記仕分画像のうちのいずれか１つに対応する出力先に対して前記画像データの出力制御を行う、
請求項１〜７のいずれかに記載の画像処理装置。
【請求項１０】
シートに画像を形成する画像形成部と、
前記シートが排出される複数の排出トレイとを更に備え、
前記出力先が前記排出トレイであり、
前記出力処理部は、前記画像データに基づいて前記画像形成部により画像が形成されたシートを、前記画像データに含まれる前記仕分画像の種類に対応する前記排出トレイへと排出させる、
請求項１〜９のいずれかに記載の画像処理装置。
【請求項１１】
前記検出処理部は、筆記具により前記原稿の端部領域に描かれた線の画像を前記仕分画像として検出する、
請求項１〜１０のいずれかに記載の画像処理装置。
【請求項１２】
原稿から画像データを読み取る読取ステップと、
前記読取ステップで読み取られる複数の画像データから予め定められた仕分画像を検出する検出ステップと、
処理対象の一連の原稿のうちの一又は複数の原稿の画像データが読み取られた時点で、当該一又は複数の原稿の画像データに含まれる前記仕分画像の種類ごとにユーザー操作に応じて出力先を設定する設定ステップと、
前記一連の原稿の各々の画像データに含まれる前記仕分画像の種類と前記設定ステップで設定された前記仕分画像の種類ごとの出力先とに基づいて、前記一連の原稿の各々の画像データの出力制御を行う出力ステップと、
を含む画像処理方法。
【発明の詳細な説明】
【技術分野】
【０００１】
本発明は、画像処理装置及び画像処理方法に関する。
【背景技術】
【０００２】
原稿から読み取られた画像データに基づいて当該原稿に貼付された付箋の色と当該付箋に記された記号とを検出し、前記色に対応するオンラインストレージサービスにおける前記記号に対応するフォルダに前記画像データをアップロードすることが可能な画像情報処理装置が知られている（特許文献１参照）。
【先行技術文献】
【特許文献】
【０００３】
【特許文献１】特開２０１５−２６９７８号公報
【発明の概要】
【発明が解決しようとする課題】
【０００４】
前記画像情報処理装置では、付箋の色とオンラインストレージサービスとの対応関係を示す情報と、付箋に記された記号とフォルダとの対応関係を示す情報とが記憶部に予め記憶されている。したがって、特定の原稿の画像データを所望のオンラインストレージサービスの所望のフォルダにアップロードするためには、前記フォルダに対応する記号が記された前記オンラインストレージサービスに対応する色の付箋を用意して前記原稿に貼付する必要があり、大きな手間がかかってしまう。
【０００５】
本発明の目的は、複数の原稿から読み取られる複数の画像データの各々の出力先を簡単に指定することが可能な画像処理装置及び画像処理方法を提供することにある。
【課題を解決するための手段】
【０００６】
本発明の一の局面に係る画像処理装置は、読取処理部と、検出処理部と、設定処理部と、出力処理部とを備える。前記読取処理部は、原稿から画像データを読み取る。前記検出処理部は、前記読取処理部により読み取られる原稿の画像データから予め定められた仕分画像を検出する。前記設定処理部は、処理対象の一連の原稿のうちの一又は複数の原稿の画像データが前記読取処理部により読み取られた時点で、当該一又は複数の原稿の画像データに含まれる前記仕分画像の種類ごとにユーザー操作に応じて出力先を設定する。前記出力処理部は、前記一連の原稿の各々の画像データに含まれる前記仕分画像の種類と前記設定処理部により設定された前記仕分画像の種類ごとの出力先とに基づいて、前記一連の原稿の各々の画像データの出力制御を行う。
【０００７】
本発明の他の局面に係る画像処理方法は、読取ステップと、検出ステップと、設定ステップと、出力ステップとを含む。前記読取ステップでは、原稿から画像データが読み取られる。前記検出ステップでは、前記読取ステップで読み取られる複数の画像データから予め定められた仕分画像が検出される。前記設定ステップでは、処理対象の一連の原稿のうちの一又は複数の原稿の画像データが読み取られた時点で、当該一又は複数の原稿の画像データに含まれる前記仕分画像の種類ごとにユーザー操作に応じて出力先が設定する。前記出力ステップでは、前記一連の原稿の各々の画像データに含まれる前記仕分画像の種類と前記設定ステップで設定された前記仕分画像の種類ごとの出力先とに基づいて、前記一連の原稿の各々の画像データの出力制御が行われる。
【発明の効果】
【０００８】
本発明によれば、複数の原稿から読み取られる複数の画像データの各々の出力先を簡単に指定することが可能な画像処理装置及び画像処理方法が提供される。
【図面の簡単な説明】
【０００９】
【図１】図１は、本発明の実施形態に係る画像形成装置の斜視図である。
【図２】図２は、本発明の実施形態に係る画像形成装置のシステム構成を示すブロック図である。
【図３】図３は、本発明の実施形態に係る画像形成装置で読み取られる原稿の一例を示す図である。
【図４】図４は、本発明の実施形態に係る画像形成装置で表示される領域選択画面の一例を示す図である。
【図５】図５は、本発明の実施形態に係る画像形成装置で表示される出力先設定画面の一例を示す図である。
【図６】図６は、本発明の実施形態に係る画像形成装置で生成される出力先情報の一例を示す図である。
【図７】図７は、本発明の実施形態に係る画像形成装置で実行される仕分処理の手順の一例を示すフローチャートである。
【図８】図８は、本発明の実施形態に係る画像形成装置で実行される追加設定処理の手順の一例を示すフローチャートである。
【図９】図９は、本発明の実施形態に係る画像形成装置で表示される追加設定画面の一例を示す図である。
【図１０】図１０は、本発明の実施形態に係る画像形成装置で更新される出力先情報の一例を示す図である。
【図１１】図１１は、本発明の実施形態に係る画像形成装置で読み取られる原稿の一例を示す図である。
【図１２】図１２は、本発明の実施形態に係る画像形成装置で表示される出力先設定画面の一例を示す図である。
【発明を実施するための形態】
【００１０】
以下、添付図面を参照しながら、本発明の実施形態について説明し、本発明の理解に供する。なお、以下の実施形態は、本発明を具体化した一例であって、本発明の技術的範囲を限定するものではない。
【００１１】
［画像形成装置１００の概略構成］
まず、図１及び図２を参照しつつ、本発明の実施形態に係る画像形成装置１００の概略構成について説明する。
【００１２】
図１は、画像形成装置１００の斜視図であり、図２は、画像形成装置１００のシステム構成を示すブロック図である。画像形成装置１００は、ＡＤＦ１、画像読取部２、画像形成部３、給紙カセット４、操作表示部５、及びシート排出装置６などを備える。画像形成装置１００は、スキャン機能、プリント機能、ファクシミリ機能、コピー機能などの複数の機能を有する複合機である。画像形成装置１００は、本発明における画像処理装置の一例である。なお、本発明は、スキャナー装置、ファクシミリ装置、及びコピー機などの画像読取装置又は画像形成装置に適用可能である。
【００１３】
ＡＤＦ１は、原稿セット部、搬送ローラー、原稿押さえ、及び排紙部を備え、画像読取部２によって読み取られる原稿Ｄを搬送する自動原稿搬送装置である。画像読取部２は、原稿台、光源、ミラー、光学レンズ、及びＣＣＤ（Ｃｈａｒｇｅ  Ｃｏｕｐｌｅｄ  Ｄｅｖｉｃｅ）を備え、原稿Ｄから画像データを読み取ることが可能である。
【００１４】
画像形成部３は、給紙カセット４から供給されるシートに、画像読取部２で読み取られる画像データ又は外部の情報処理装置から入力される画像データに基づいて画像を形成する電子写真方式の画像形成部である。具体的に、画像形成部３は、感光体ドラム、帯電装置、光走査装置（ＬＳＵ）、現像装置、転写ローラー、クリーニング装置、及び定着ローラーなどを備える。なお、画像形成部３は、インクジェット方式などの他の画像形成方式によりシートに画像を形成するものであってもよい。
【００１５】
操作表示部５は、情報を表示する液晶ディスプレーなどの表示部と、ユーザー操作を受け付けるタッチパネル及び操作ボタンなどの操作部とを備える。
【００１６】
シート排出装置６は、鉛直方向に並設された複数の排出トレイ７を備える。シート排出装置６は、画像形成装置１００の画像形成部３による画像形成後のシートを複数の排出トレイ７のうちのいずれかに排出することが可能である。シート排出装置６は、画像形成装置１００の制御部９からの制御指示に従ってシートを複数の排出トレイ７のいずれかに排出する。
【００１７】
記憶部８は、不揮発性の記憶媒体である。例えば、記憶部８は、フラッシュメモリー、ＳＳＤ（ソリッドステートドライブ）、又はＨＤＤ（ハードディスクドライブ）などの記憶媒体である。
【００１８】
制御部９は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶媒体である。前記ＲＡＭは揮発性の記憶媒体であり、前記ＥＥＰＲＯＭは不揮発性の記憶媒体である。前記ＲＡＭ及び前記ＥＥＰＲＯＭは、前記ＣＰＵが実行する各種の処理の一時記憶メモリー（作業領域）として使用される。制御部９では、前記ＣＰＵにより前記ＲＯＭに予め記憶された各種の制御プログラムが実行される。これにより、画像形成装置１００が制御部９により統括的に制御される。なお、制御部９は、集積回路（ＡＳＩＣ）などの電子回路で構成されたものであってもよく、画像形成装置１００を統括的に制御するメイン制御部とは別に設けられた制御部であってもよい。
【００１９】
ところで、原稿から読み取られた画像データに基づいて当該原稿に貼付された付箋の色と当該付箋に記された記号とを検出し、前記色に対応するオンラインストレージサービスにおける前記記号に対応するフォルダに前記画像データをアップロードすることが可能な画像情報処理装置が知られている。当該画像情報処理装置では、付箋の色とオンラインストレージサービスとの対応関係を示す情報と、付箋に記された記号とフォルダとの対応関係を示す情報とが記憶部に予め記憶されている。したがって、特定の原稿の画像データを所望のオンラインストレージサービスの所望のフォルダにアップロードするためには、前記フォルダに対応する記号が記された前記オンラインストレージサービスに対応する色の付箋を用意して前記原稿に貼付する必要があり、大きな手間がかかってしまう。これに対して、本実施形態に係る画像形成装置１００は、以下に説明するように、複数の原稿Ｄから読み取られる複数の画像データの各々の出力先を簡単に指定することが可能である。
【００２０】
具体的に、制御部９の前記ＲＯＭには、前記ＣＰＵに後述の仕分処理（図７のフローチャート参照）を実行させるための仕分プログラムが予め記憶されている。なお、前記仕分プログラムは、ＣＤ、ＤＶＤ、フラッシュメモリーなどのコンピューター読み取り可能な記録媒体に記録されており、前記記録媒体から読み取られて記憶部８にインストールされるものであってもよい。
【００２１】
制御部９は、図２に示されるように、読取処理部９１、検出処理部９２、設定処理部９３、及び出力処理部９４を含む。具体的に、制御部９は、前記ＣＰＵを用いて前記ＲＯＭに記憶されている前記仕分プログラムを実行する。これにより、制御部９は、読取処理部９１、検出処理部９２、設定処理部９３、及び出力処理部９４として機能する。
【００２２】
読取処理部９１は、画像読取部２を制御して、原稿Ｄから画像データを読み取る。具体的に、読取処理部９１は、操作表示部５において予め定められた読取操作が行われたことに応じて、画像読取部２を制御して、ＡＤＦ１により順次に搬送される原稿Ｄから画像データを順次に読み取る。もしくは、読取処理部９１は、操作表示部５において予め定められた読取操作が行われる度に、画像読取部２を制御して、画像読取部２の前記原稿台に載置された原稿Ｄから画像データを読み取る。前記読取操作は、例えば、操作表示部５に表示される前記読取操作を受け付け可能な受付画面へのタッチ操作、予め定められたハードキーへの操作などである。
【００２３】
読取処理部９１によって読み取られた原稿Ｄの画像データは前記ＲＡＭに記憶される。なお、他の実施形態では、読取処理部９１によって読み取られた原稿Ｄの画像データが記憶部８に記憶されてもよい。
【００２４】
検出処理部９２は、読取処理部９１により読み取られる原稿Ｄの画像データから予め定められた仕分画像を検出する。前記仕分画像は、例えば、蛍光ペンのような筆記具により原稿Ｄの端部領域（例えば、余白領域）に描かれた線の画像（図３に示されるマークＭ）である。なお、前記仕分画像が、原稿Ｄに貼付された付箋又はテープの画像であってもよい。
【００２５】
例えば、検出処理部９２は、読取処理部９１によって読み取られた画像データにおける下地色を検出する下地色検出処理を実行する。次に、検出処理部９２は、前記画像データにおける前記下地色とは異なる色の領域を検出する。そして、検出処理部９２は、前記異なる色の領域が予め定められたサイズの矩形状の領域に該当する場合に、当該領域を前記仕分画像であると判断する。
【００２６】
なお、前記仕分画像を検出すべき領域が、ユーザー操作に応じて設定されてもよい。例えば、検出処理部９２は、図４に示されるような領域設定画面Ｐ１を操作表示部５に表示させて、前記仕分画像を検出すべき領域を、予め定められた４つの領域Ａ１〜Ａ４の中からユーザーに選択させてもよい。これにより、前記仕分画像を検出すべき領域が限定されるので、前記仕分画像の検出処理に要する時間が短縮される。また、前記仕分画像の誤検出が抑制される。
【００２７】
なお、前記仕分画像は、原稿Ｄに付された予め定められた図形の画像であってもよい。また、前記仕分画像は、原稿Ｄにおける予め定められた位置に付された予め定められた文字、数字、又は記号の画像であってもよい。
【００２８】
設定処理部９３は、処理対象の一連の原稿Ｄのうちの一又は複数の原稿Ｄの画像データが読取処理部９１により読み取られた時点で、当該一又は複数の原稿Ｄの画像データに含まれる前記仕分画像の種類ごとにユーザー操作に応じて出力先を設定する。なお、前記一連の原稿Ｄは、画像形成装置１００において実行される単一のジョブにおいて処理される複数の原稿Ｄであって、例えば、ＡＤＦ１の前記原稿セット部にセットされた複数の原稿Ｄ、又はユーザーによって画像読取部２の前記原稿台に順次に載置される複数の原稿Ｄである。前記出力先は、例えば、排出トレイ７である。なお、前記出力先は排出トレイ７に限らない。例えば、前記出力先は、前記画像データが記憶部８又は外部メモリ等に保存される際のディレクトリ（フォルダ）であってもよい。また、前記出力先は、前記画像データがファクシミリ送信される際の宛先であってよい。また、前記出力先は、前記画像データが電子メールの添付ファイルとして送信される際の宛先であってもよい。
【００２９】
例えば、設定処理部９３は、前記一連の原稿Ｄの画像データが前記ＲＡＭに１つずつ記憶されていき最終的に前記ＲＡＭが満杯になった時点で、前記ＲＡＭに記憶されている複数の原稿Ｄの画像データに含まれる前記仕分画像の種類を判別する。そして、設定処理部９３は、前記複数の原稿Ｄの画像データに含まれる前記仕分画像の種類ごとにユーザー操作に応じて出力先を設定する。本実施形態では、設定処理部９３は、前記仕分画像の色に基づいて前記仕分画像の種類を判別する。そして、設定処理部９３は、前記仕分画像の色ごとに前記出力先を設定する。例えば、前記ＲＡＭに記憶されている複数の原稿Ｄの画像データから赤色の前記仕分画像と青色の前記仕分画像とが検出された場合、設定処理部９３は、赤色の前記仕分画像に対応する出力先と青色の前記仕分画像に対応する出力先とをユーザー操作に応じて設定する。なお、他の実施形態では、設定処理部９３は、前記仕分画像の他の特徴（例えば、幅、長さ、形状、向き、位置、前記仕分画像に含まれる文字又は記号など）に基づいて前記仕分画像の種類を判別してもよい。
【００３０】
本実施形態では、設定処理部９３は、前記一連の原稿Ｄのうちの一又は複数の原稿Ｄの画像データが読取処理部９１により読み取られた時点で、図５に示されるような出力先設定画面Ｐ２を操作表示部５に表示させる。そして、設定処理部９３は、出力先設定画面Ｐ２に対するユーザー操作に応じて前記仕分画像の種類ごとに出力先を設定する。
【００３１】
図５に示される出力先設定画面Ｐ２では、前記仕分画像の各種類に対して複数の出力先を設定可能である。例えば、図５の例では、赤色の仕分画像に対する出力先として、トレイＡ〜Ｄの４つの排出トレイ７が選択されている。例えば、トレイＡは、画像形成装置１００に設けられている複数の排出トレイ７のうちの一番上の排出トレイ７であり、トレイＢは上から２番目の排出トレイ７であり、トレイＣは上から３番目の排出トレイ７であり、トレイＤは上から４番目の排出トレイ７である。
【００３２】
また、設定処理部９３は、前記仕分画像の各種類に対応する複数の列又は行と、各前記出力先に対応する複数の行又は列とで構成されるテーブルを含む出力先設定画面Ｐ２を操作表示部５に表示させてもよい。例えば、図５に示される出力先設定画面Ｐ２には、前記仕分画像の各色に対応する複数の行と、各出力先に対応する複数の列とで構成されるテーブルが含まれている。ユーザーは、前記テーブルに含まれる所望のマス目を操作（例えばタップ）することによって、前記仕分画像の各色に対して一又は複数の出力先を容易に指定することが可能である。
【００３３】
なお、図５に示される出力先設定画面Ｐ２では、前記仕分画像の各種類を示すラベルとして「赤色」、「青色」等の文字列が表示されているが、他の実施形態では、図１２に示される出力先設定画面Ｐ２のように、前記仕分画像の各種類を示すラベルとして、検出処理部９２により検出された前記仕分画像の画像Ｇ２が表示されてもよい。これにより、原稿Ｄに描かれているマークＭと出力先設定画面Ｐ２に表示されるラベルとの対応関係がより明確になるので、ユーザーは、どのラベルがどの色のマークＭに対応しているのかをより明確に把握できる。よって、例えば、文字列で表しにくい色合いの蛍光ペンでマークＭが描かれる場合、互いに類似した色の蛍光ペンでマークＭが描かれている場合などに特に有効である。
【００３４】
出力処理部９４は、前記一連の原稿Ｄの各々の画像データに含まれる前記仕分画像の種類と設定処理部９３により設定された前記仕分画像の種類ごとの出力先とに基づいて、前記一連の原稿Ｄの各々の画像データの出力制御を行う。なお、出力処理部９４によって行われる前記画像データの出力制御は、前記画像データに対応する出力先に応じて異なる。例えば、前記画像データに対応する出力先が排出トレイ７である場合には、前記出力処理部９４は、画像形成部３及びシート排出装置６を制御して、前記画像データに基づいて画像形成部３により画像が形成されたシートを、前記画像データに含まれる前記仕分画像の種類に対応する排出トレイ７へと排出させる。また、前記画像データに対応する出力先が記憶部８又は外部メモリ等のディレクトリ（フォルダ）である場合には、前記出力処理部９４は、前記画像データを対応するディレクトリに保存する。また、前記画像データに対応する出力先がファクシミリ送信の宛先である場合には、前記出力処理部９４は、前記画像データを対応する宛先にファクシミリ送信する。また、前記画像データに対応する出力先が電子メールの宛先である場合には、前記出力処理部９４は、前記画像データを添付した電子メールを対応する宛先に送信する。
【００３５】
なお、出力処理部９４は、特定の種類の前記仕分画像に対して複数の出力先が設定されている場合に、前記特定の種類の仕分画像を含む前記画像データ又は当該画像データに基づいて画像が形成されたシートを、前記複数の出力先の各々へと出力させてもよい。例えば、赤色の仕分画像に対してトレイＡ〜Ｄの４つ排出トレイ７が出力先として設定されている場合に、出力処理部９４は、赤色の仕分画像を含む画像データに基づいて画像が形成されたシートを、前記４つの排出トレイ７の各々へと出力させてもよい。
【００３６】
なお、設定処理部９３は、前記一連の原稿Ｄのうちの残りの原稿Ｄの画像データから前記出力先が未設定である新たな種類の前記仕分画像が検出されたことに応じて、当該新たな種類の仕分画像に対応する出力先をユーザー操作に応じて設定してもよい。例えば、設定処理部９３は、赤色、青色、黄色及び緑色の各色の仕分画像に対応する出力先が設定された後、読取処理部９１により新たに読み込まれた残りの原稿Ｄの画像データから紫色の仕分画像が検出された場合に、図９に示されるような追加設定画面Ｐ３を操作表示部５に表示させてもよい。そして、設定処理部９３は、追加設定画面Ｐ３に対するユーザー操作に応じて、紫色の仕分画像に対応する出力先を設定して、出力先情報Ｄ１を更新してもよい（図１０）。この場合、出力処理部９４は、前記新たな種類の仕分画像が検出されてから当該新たな種類の仕分画像に対応する出力先が設定されるまでの間、前記新たな種類の仕分画像を含む前記画像データの出力制御に先行して、前記新たな種類の仕分画像を含まない前記画像データの出力制御を行ってもよい。例えば、図９に示されるような追加設定画面Ｐ３が操作表示部５に表示されている間、出力処理部９４は、紫色の仕分画像を含む前記画像データの出力制御に先行して、紫色の仕分画像を含まない前記画像データの出力制御を行ってもよい。これにより、前記新たな種類の仕分画像に対応する出力先が設定されるまでの間も出力制御（例えば、画像形成部３による画像形成処理）が行われるので、無駄な待機時間を減らし、処理時間を短縮することができる。
【００３７】
また、出力処理部９４は、前記画像データに複数種類の前記仕分画像が含まれている場合に、前記複数種類の前記仕分画像の各々に対応する全ての出力先に対して前記画像データの出力制御を行ってもよい。例えば、図１１に示される原稿Ｄのように、赤色のマークＭ、青色のマークＭ、及び黄色のマークＭが１つの原稿Ｄに含まれている場合、出力処理部９４は、図６に示される出力先情報Ｄ１に基づいて、前記原稿Ｄの画像データに基づいて画像が形成されたシートを、トレイＡ及びトレイＢに２部ずつ出力し、トレイＣ及びトレイＤに１部ずつ出力する。
【００３８】
もしくは、出力処理部９４は、前記画像データに複数種類の前記仕分画像が含まれている場合に、前記複数種類の前記仕分画像のうちのいずれか１つに対応する出力先に対して前記画像データの出力制御を行ってもよい。例えば、図１１に示される原稿Ｄのように、赤色のマークＭ、青色のマークＭ、及び黄色のマークＭが１つの原稿Ｄに含まれている場合、出力処理部９４は、前記原稿Ｄの画像データに基づいて画像が形成されたシートを、赤色、青色、及び黄色のうち、出力先設定画面Ｐ２に含まれるテーブルにおいて最も上側に表示されていた色（ここでは、赤色）に対応する出力先（ここでは、トレイＡ〜Ｄ）に出力してもよい。この場合、出力先設定画面Ｐ２に含まれる前記テーブルにおける各色の表示位置をユーザーが自由に並べ替え可能であってもよい。
【００３９】
また、出力処理部９４は、前記画像データに複数種類の前記仕分画像が含まれている場合に、前記複数種類の前記仕分画像の各々に対応する全ての出力先に対して前記画像データの出力制御を行うべきか、前記複数種類の前記仕分画像のうちのいずれか１つに対応する出力先に対して前記画像データの出力制御を行うべきかを、ユーザー操作に応じて決定してもよい。
【００４０】
［仕分処理］
以下、図７を参照しつつ、画像形成装置１００において制御部９により実行される仕分処理の手順の一例について説明する。ここで、ステップＳ１、Ｓ２、・・・は、制御部９により実行される処理手順（ステップ）の番号を表している。なお、制御部９は、操作表示部５に対して前記仕分処理の実行を指示する旨のユーザーの操作が行われた場合に、前記仕分処理を実行する。
【００４１】
＜ステップＳ１＞
まず、ステップＳ１において、制御部９（読取処理部９１）は、画像読取部２を制御して、処理対象の一連の原稿Ｄのうちの一又は複数の原稿Ｄの画像データ（例えば、前記ＲＡＭに記憶可能な最大枚数の原稿Ｄの画像データ）を読み取る。原稿Ｄ各々における予め定められた位置（例えば、左上隅）には、前記仕分画像として図３に示すようなマークＭが含まれている。読み取られた前記一又は複数の原稿Ｄの画像データは、前記ＲＡＭに記憶される。当該ステップＳ１は、本発明の読取ステップの一例である。
【００４２】
＜ステップＳ２＞
ステップＳ２において、制御部９は、図４に示されるような領域設定画面Ｐ１を操作表示部５に表示させる。例えば、領域設定画面Ｐ１には、前記ステップＳ１で最初に読み取られた原稿Ｄの画像Ｇ１が表示される。また、領域設定画面Ｐ１には、前記仕分画像を検出すべき領域の候補として、原稿Ｄの４隅に対応する４つの領域Ａ１〜Ａ４が予め設定されている。ユーザーは、これらの４つの領域Ａ１〜Ａ４の中から、原稿ＤにおいてマークＭが含まれる位置に対応する領域をタッチパネル又はハードキーにより選択する。図４に示される領域設定画面Ｐ１は、領域Ａ１が選択された状態を示している。そして、操作キーＫ１が操作されると、処理がステップＳ３に移行する。なお、前記４つの領域Ａ１〜Ａ４の中から前記仕分画像を検出すべき領域が自動的に検出される場合には、当該ステップＳ２の処理は省略される。また、原稿Ｄの画像データの全領域から前記仕分画像が検出される場合にも、当該ステップＳ２の処理は省略される。なお、図４に示される領域設定画面Ｐ１には原稿Ｄの画像Ｇ１が表示されているが、他の実施形態では、原稿Ｄの画像Ｇ１の代わりに予め用意された画像（例えば、単なる矩形画像など）が表示されてもよい。
【００４３】
＜ステップＳ３＞
ステップＳ３において、制御部９（検出処理部９２）は、前記ステップＳ１で読み取られた前記一又は複数の原稿Ｄの画像データから前記仕分画像を検出する。具体的に、制御部９は、前記ステップＳ２で選択された領域を検出対象領域として、前記一又は複数の原稿Ｄの各々の画像データから前記仕分画像を検出する。当該ステップＳ３は、本発明の検出ステップの一例である。
【００４４】
なお、制御部９は、特定の画像データから前記仕分画像が検出されなかった場合に、前記特定の画像データの直前に読み込まれた画像データから検出された仕分画像と同じ仕分画像が前記特定の画像データに含まれているとみなしてもよい。これにより、連続して読み込まれる複数の原稿Ｄの各々に同じマークＭを描かなくても、これらの複数の原稿Ｄのうちの最初に読み込まれる原稿Ｄにのみ前記マークＭを描くだけで、これらの複数の原稿Ｄを同一の出力先に対応付けることができる。よって、マークＭを描く手間が軽減される。
【００４５】
＜ステップＳ４＞
ステップＳ４において、制御部９（設定処理部９３）は、前記ステップＳ３で検出された前記仕分画像の種類に基づいて、図５又は図１２に示されるような出力先設定画面Ｐ２を操作表示部５に表示させる。図５又は図１２に示される出力先設定画面Ｐ２には、前記仕分画像（マーカー）の色と出力先との対応関係を示すテーブルが表示されている。前記テーブルにおける各行は、前記ステップＳ３で検出された前記仕分画像の色に対応している。また、前記テーブルにおける各列は、予め定められた出力先に対応している。なお、出力先設定画面Ｐ２に表示される出力先は、ユーザー操作に応じて追加、変更又は削除することが可能である。制御部（設定処理部９３）は、出力先設定画面Ｐ２に対するユーザー操作に応じて前記仕分画像の種類ごとに出力先を設定する。当該ステップＳ４は、本発明の設定ステップの一例である。出力先設定画面Ｐ２に含まれる操作キーＫ２が操作されると、処理がステップＳ５に移行する。
【００４６】
＜ステップＳ５＞
ステップＳ５において、制御部９（設定処理部９３）は、出力先設定画面Ｐ２で設定された内容に基づいて図６に示されるような出力先情報Ｄ１を生成する。生成された出力先情報Ｄ１は、例えば前記ＲＡＭに記憶される。
【００４７】
＜ステップＳ６＞
ステップＳ６において、制御部９（出力処理部９４）は、前記ステップＳ１で読み取られた前記一又は複数の原稿Ｄの画像データに基づいて、画像形成部３にプリント処理（画像形成処理）を実行させる。具体的に、制御部９は、画像形成部３及びシート排出装置６を制御して、各画像データに基づいて画像形成部３により画像が形成された一又は複数のシートを、前記画像データに含まれる前記仕分画像の色と前記ステップＳ５で生成された出力先情報Ｄ１とに基づいて決定される一又は複数の排出トレイ７へと排出させる。当該ステップＳ６は、本発明の出力ステップの一例である。
【００４８】
なお、図１１に示される原稿Ｄのように、前記画像データに複数種類の前記仕分画像が含まれている場合には、制御部９（出力処理部９４）は、前記複数種類の前記仕分画像の各々に対応する全ての出力先に対して前記画像データの出力制御を行うべきか、前記複数種類の前記仕分画像のうちのいずれか１つに対応する出力先に対して前記画像データの出力制御を行うべきかを、ユーザー操作に応じて決定してもよい。
【００４９】
＜ステップＳ７＞
ステップＳ７において、制御部９は、次の原稿Ｄがあるか否か（すなわち、前記一連の原稿Ｄのうち画像データがまだ読み取られていない原稿Ｄがあるか否か）を判断する。次の原稿Ｄがあるか否かは、例えば、ＡＤＦ１の前記原稿セット部に設けられたセンサー（不図示）の出力に基づいて判断することが可能である。もしくは、次の原稿Ｄがあるか否かは、操作表示部５に対するユーザー操作に基づいて判断することが可能である。そして、次の原稿Ｄがあると判断されると（Ｓ７：Ｙｅｓ）、処理がステップＳ８に移行する。一方、次の原稿Ｄがないと判断されると（Ｓ７：Ｎｏ）、前記仕分処理は終了する。
【００５０】
＜ステップＳ８＞
ステップＳ８において、制御部９（読取処理部９１）は、画像読取部２を制御して、次の原稿Ｄの画像データを読み取る。読み取られた原稿Ｄの画像データは、前記ＲＡＭに記憶される。当該ステップＳ８は、本発明の読取ステップの一例である。
【００５１】
＜ステップＳ９＞
ステップＳ９において、制御部９（検出処理部９２）は、前記ステップＳ８で読み取られた原稿Ｄの画像データから前記仕分画像を検出する。具体的に、制御部９は、前記ステップＳ２で選択された領域を検出対象領域として、前記原稿Ｄの画像データから前記仕分画像を検出する。当該ステップＳ９は、本発明の検出ステップの一例である。
【００５２】
＜ステップＳ１０＞
ステップＳ１０において、制御部９（設定処理部９３）は、前記ステップＳ９で検出された前記仕分画像が、新たな種類の仕分画像（すなわち、出力先情報Ｄ１にまだ含まれていない種類の仕分画像）であるか否かを判断する。そして、前記ステップＳ９で検出された前記仕分画像が新たな種類の仕分画像であると判断されると（Ｓ１０：Ｙｅｓ）、処理がステップＳ１２に移行する。一方、前記ステップＳ９で検出された前記仕分画像が新たな種類の仕分画像ではないと判断されると（Ｓ１０：Ｎｏ）、処理がステップＳ１１に移行する。
【００５３】
なお、前記ステップＳ９で原稿Ｄの画像データから複数種類の仕分画像が検出された場合には、制御部９は、前記複数種類の仕分画像の中に新たな種類の仕分画像が含まれているか否かを判断する。そして、前記複数種類の仕分画像の中に新たな種類の仕分画像が含まれていると判断されると（Ｓ１０：Ｙｅｓ）、処理がステップＳ１２に移行する。一方、前記複数種類の仕分画像の中に新たな種類の仕分画像が含まれていないと判断されると（Ｓ１０：Ｎｏ）、処理がステップＳ１１に移行する。
【００５４】
＜ステップＳ１１＞
ステップＳ１１において、制御部９（出力処理部９４）は、前記ステップＳ８で読み取られた原稿Ｄの画像データに基づいて、画像形成部３にプリント処理（画像形成処理）を実行させる。具体的に、制御部９は、画像形成部３及びシート排出装置６を制御して、前記画像データに基づいて画像形成部３により画像が形成されたシートを、前記画像データに含まれる前記仕分画像の色と出力先情報Ｄ１とに基づいて決定される排出トレイ７へと排出させる。そして、処理が前記ステップＳ７に戻る。当該ステップＳ１１は、本発明の出力ステップの一例である。
【００５５】
＜ステップＳ１２＞
ステップＳ１２において、制御部９は、追加設定処理を行う。そして、処理が前記ステップＳ７に戻る。以下、図８を参照しつつ、前記追加設定処理について説明する。
【００５６】
＜ステップＳ２１＞
まず、ステップＳ２１において、制御部９（出力処理部９４）は、前記ステップＳ８で読み取られた原稿Ｄの画像データ（すなわち、新たな種類の仕分画像が含まれる画像データ）を保留する。すなわち、制御部９は、前記画像データに基づくプリント処理を画像形成部３に実行させることなく、前記画像データを前記ＲＡＭ内に溜めておく。
【００５７】
＜ステップＳ２２＞
ステップＳ２２において、制御部９（設定処理部９３）は、前記ステップＳ９で検出された新たな種類の仕分画像に基づいて、図９に示されるような追加設定画面Ｐ３を操作表示部５に表示させる。制御部（設定処理部９３）は、追加設定画面Ｐ３に対するユーザー操作に応じて前記新たな種類の仕分画像に対応する出力先を設定する。
【００５８】
＜ステップＳ２３＞
ステップＳ２３において、制御部９は、前記新たな種類の仕分画像に対応する出力先の設定操作が終了したかどうかを判断する。具体的に、制御部９は、追加設定画面Ｐ３に含まれる操作キーＫ３が操作された場合に前記設定操作が終了したと判断する。そして、前記設定操作が終了したと判断されると（Ｓ２３：Ｙｅｓ）、処理がステップＳ３０に移行する。一方、前記設定操作が終了していないと判断されると（Ｓ２３：Ｎｏ）、処理がステップＳ２４に移行する。
【００５９】
＜ステップＳ２４＞
ステップＳ２４において、制御部９は、次の原稿Ｄがあるか否か（すなわち、前記一連の原稿Ｄのうち画像データがまだ読み取られていない原稿Ｄがあるか否か）を判断する。そして、次の原稿Ｄがあると判断されると（Ｓ２４：Ｙｅｓ）、処理がステップＳ２５に移行する。一方、次の原稿Ｄがないと判断されると（Ｓ２４：Ｎｏ）、処理が前記ステップＳ２３に戻る。
【００６０】
＜ステップＳ２５＞
ステップＳ２５において、制御部９（読取処理部９１）は、画像読取部２を制御して、次の原稿Ｄの画像データを読み取る。読み取られた原稿Ｄの画像データは、前記ＲＡＭに記憶される。当該ステップＳ２５は、本発明の読取ステップの一例である。
【００６１】
＜ステップＳ２６＞
ステップＳ２６において、制御部９（検出処理部９２）は、前記ステップＳ２５で読み取られた原稿Ｄの画像データから前記仕分画像を検出する。具体的に、制御部９は、前記ステップＳ２で選択された領域を検出対象領域として、前記原稿Ｄの画像データから前記仕分画像を検出する。当該ステップＳ２６は、本発明の検出ステップの一例である。
【００６２】
＜ステップＳ２７＞
ステップＳ２７において、制御部９（設定処理部９３）は、前記ステップＳ２６で検出された前記仕分画像が、新たな種類の仕分画像（すなわち、出力先情報Ｄ１にまだ含まれていない種類の仕分画像）であるか否かを判断する。そして、前記ステップＳ２６で検出された前記仕分画像が新たな種類の仕分画像であると判断されると（Ｓ２７：Ｙｅｓ）、処理がステップＳ２９に移行する。一方、前記ステップＳ２６で検出された前記仕分画像が新たな種類の仕分画像ではないと判断されると（Ｓ２７：Ｎｏ）、処理がステップＳ２８に移行する。
【００６３】
なお、前記ステップＳ２６で原稿Ｄの画像データから複数種類の仕分画像が検出された場合には、制御部９は、前記複数種類の仕分画像の中に新たな種類の仕分画像が含まれているか否かを判断する。そして、前記複数種類の仕分画像の中に新たな種類の仕分画像が含まれていると判断されると（Ｓ２７：Ｙｅｓ）、処理がステップＳ２９に移行する。一方、前記複数種類の仕分画像の中に新たな種類の仕分画像が含まれていないと判断されると（Ｓ２７：Ｎｏ）、処理がステップＳ２８に移行する。
【００６４】
＜ステップＳ２８＞
ステップＳ２８において、制御部９（出力処理部９４）は、前記ステップＳ２５で読み取られた原稿Ｄの画像データに基づいて、画像形成部２にプリント処理（画像形成処理）を実行させる。具体的に、制御部９は、画像形成部３及びシート排出装置６を制御して、前記画像データに基づいて画像形成部３により画像が形成されたシートを、前記画像データに含まれる前記仕分画像の色と出力先情報Ｄ１とに基づいて決定される排出トレイ７へと排出させる。そして、処理が前記ステップＳ２３に戻る。
【００６５】
＜ステップＳ２９＞
ステップＳ２９において、制御部９（出力処理部９４）は、前記ステップＳ２５で読み取られた原稿Ｄの画像データ（すなわち、新たな種類の仕分画像が含まれる画像データ）を保留する。すなわち、制御部９は、前記画像データに基づくプリント処理を画像形成部３に実行させることなく、前記画像データを前記ＲＡＭ内に溜めておく。そして、処理が前記ステップＳ２３に戻る。
【００６６】
＜ステップＳ３０＞
ステップＳ３０において、制御部９（設定処理部９３）は、追加設定画面Ｐ３で設定された内容に基づいて出力先情報Ｄ１を更新する。この結果、例えば、図６に示される出力先情報Ｄ１が、図１０に示される出力先情報Ｄ１へと更新される。
【００６７】
＜ステップＳ３１＞
ステップＳ３１において、制御部９（出力処理部９４）は、保留中の画像データ（すなわち、前記ステップＳ２１で保留された画像データ及び前記ステップＳ２９で保留された画像データ）に基づいて、画像形成部３にプリント処理（画像形成処理）を実行させる。具体的に、制御部９は、画像形成部３及びシート排出装置６を制御して、前記画像データに基づいて画像形成部３により画像が形成されたシートを、前記画像データに含まれる前記仕分画像の色と前記ステップＳ３０で更新された出力先情報Ｄ１とに基づいて決定される排出トレイ７へと排出させる。そして、処理が前記ステップＳ７（図７）に戻る。
【００６８】
以上のように、本実施形態では、処理対象の一連の原稿Ｄのうちの一又は複数の原稿Ｄの画像データが読み取られた時点で、当該一又は複数の原稿Ｄの画像データに含まれる前記仕分画像の種類ごとにユーザー操作に応じて出力先が設定される。そして、前記一連の原稿Ｄの各々の画像データに含まれる前記仕分画像の種類と、前記仕分画像の種類ごとに設定された出力先とに基づいて、前記一連の原稿Ｄの各々の画像データの出力制御が行われる。よって、本実施形態によれば、前記仕分画像の種類と前記出力先との対応関係を示す情報を記憶部８等に予め記憶しておく必要がない。また、ユーザーは、前記仕分画像の種類と前記出力先との対応関係が未定の状態で各原稿ＤにマークＭを描くことができるので、マークＭを描く手間が軽減される。また、本実施形態では、ユーザーは、任意の色の蛍光ペンを用いて原稿ＤにマークＭを描くことができるので、予め定められた特定の色の蛍光ペンを用意する必要がない。このように、本実施形態によれば、複数の原稿から読み取られる複数の画像データの各々の出力先を簡単に指定することが可能である。
【００６９】
例えば、ユーザーは、一連の原稿Ｄのうち、ユーザーＡ〜Ｄの全員に配布すべき原稿Ｄには赤色のマークＭを描き、ユーザーＡのみに配布すべき原稿Ｄには青色のマークＭを描き、ユーザーＢのみに配布すべき原稿Ｄには黄色のマークＭを描き、ユーザーＣのみに配布すべき原稿Ｄには緑色のマークＭを描き、ユーザーＤのみに配布すべき原稿Ｄには紫色のマークＭを描く。そして、ユーザーは、前記一連の原稿ＤをＡＤＦ１の前記原稿セット部にセットして、前記仕分処理の実行を開始させるための所定操作を行う。すると、前記一連の原稿Ｄの画像データの読み取りが開始され、しばらくすると、図５に示されるような出力先設定画面Ｐ２が操作表示部５に表示される。そして、ユーザーが図５に示されるように各色に対応する出力先を設定すると、ユーザーＡ〜Ｄの全員に配布すべき原稿ＤのコピーはトレイＡ〜Ｄの全てに排出され、ユーザーＡのみに配布すべき原稿ＤのコピーはトレイＡに排出され、ユーザーＢのみに配布すべき原稿ＤのコピーはトレイＢに排出され、ユーザーＣのみに配布すべき原稿ＤのコピーはトレイＤに排出されるようになる。しばらくすると、図９に示されるような追加設定画面Ｐ３が操作表示部５に表示される。そして、ユーザーが図９に示されるように紫色に対応する出力先を設定すると、ユーザーＤのみに配布すべき原稿ＤのコピーがトレイＢに排出されるようになる。前記仕分処理が終了すると、ユーザーＡ〜Ｄの各ユーザーに配布すべき原稿Ｄのコピーが、配布先のユーザー毎に異なるトレイに排出された状態となる。なお、図５に示される出力先設定画面Ｐ２では、出力先として排出トレイ７が表示されているが、他の実施形態では、出力先としてユーザーが表示されていてもよい。この場合、出力処理部９４は、ユーザーと出力先（例えば、排出トレイ７、電子メールアドレスなど）との対応関係を示す対応関係情報に基づいて前記出力制御を行ってもよい。
【符号の説明】
【００７０】
１００  画像形成装置
１  ＡＤＦ
２  画像読取部
３  画像形成部
４  給紙カセット
５  操作表示部
６  シート排出装置
７  排出トレイ
８  記憶部
９  制御部
９１  読取処理部
９２  検出処理部
９３  設定処理部
９４  出力処理部
【図１】
2019068128.tif 000003
【図２】
2019068128.tif 000004
【図３】
2019068128.tif 000005
【図４】
2019068128.tif 000006
【図５】
2019068128.tif 000007
【図６】
2019068128.tif 000008
【図７】
2019068128.tif 000009
【図８】
2019068128.tif 000010
【図９】
2019068128.tif 000011
【図１０】
2019068128.tif 000012
【図１１】
2019068128.tif 000013
【図１２】
2019068128.tif 000014